(57)【要約】【課題】トラブルが生じにくく、ヒット率の高い疑似餌２の提供。【解決手段】疑似餌２は、ヘッド４、ラインアイ６、フックアイ８、スプリットリング１０、プレート１２、フックユニット１４、スカート１６、ネクタイ１８及びゴムバンド２０を備えている。ヘッド４は、海水よりも高比重な材料からなる。プレート１２は、円盤状である。プレート１２は、硬質材料からなる。フックユニット１４は、サルカン２６、鉤素２８及びフック３０からなる。スカート１６は、多数の糸３８からなる。糸３８は、軟質材料からなる。糸３８はゴムバンド２０で折り返されている。糸３８は、プレート１２に当接している。糸３８はプレート１２で押圧され、起立することなく下方に垂下している。プレート１２により、スカート１６の捲れ上がりが抑制される。プレート１２により、フックユニット１４のテイリングが抑制される。【選択図】図１
2008212146.tif 000002
【特許請求の範囲】
【請求項１】
高比重材料からなるヘッド、
このヘッドに取り付けられるフックユニット、
軟質材料からなる揺動体
及び
上記ヘッドと揺動体との間に位置しており、硬質材料からなるプレート
を備えた疑似餌。
【請求項２】
上記プレートが円盤状であってかつ中央に穴を有しており、この穴に上記フックユニットが通されている請求項１に記載の疑似餌。
【請求項３】
上記揺動体が長尺であり、この揺動体が折り返されてその両端が下方に垂れ下がっており、この揺動体が折り返しの近傍において上記プレートに押圧されている請求項１又は２に記載の疑似餌。
【発明の詳細な説明】
【技術分野】
【０００１】
本発明は、釣りに用いられる疑似餌に関する。
【背景技術】
【０００２】
カブラと称される疑似餌を用いて、鯛釣りが行われている。この疑似餌は、金属製のヘッド、ゴム製のスカート及びネクタイ並びにフックユニットを備えている。フックユニットは、フック及び鉤素を有している。この疑似餌は、ラインが結ばれた状態で、海底に沈められる。ラインが引かれて疑似餌が海水中を上昇すると、ヘッドのフラッシングが鯛にアピールする。さらに、水圧を受けてスカート及びネクタイが揺れ動く。この揺動により、鯛は疑似餌を生きた餌と勘違いし、この疑似餌を追う。鯛はまず、スカート又はネクタイに食いつく。この段階では、フッキングはなされていない。さらに鯛が疑似餌に深く食いつき、フックが鯛の口に吸い込まれる。このフックが鯛に刺さって、鯛が釣り上げられる。鯛釣りに適した疑似餌が、株式会社シマノ発行の「2007 Fishing Tackle Catalogue」の第２７４頁に記載されている。
【非特許文献１】株式会社シマノ発行の「2007 Fishing Tackle Catalogue」
【発明の開示】
【発明が解決しようとする課題】
【０００３】
この疑似餌が沈降するとき、水の抵抗を受けたフックユニットはヘッドよりも遅れて沈降する。従って、フックがヘッドよりも上方に位置し、このフックがラインと絡んでしまうことがある。この現象は、テイリングと称されている。テイリングが生じると、鯛が疑似餌に食いついても、フッキングに至らない。
【０００４】
この疑似餌が沈降するとき、水の抵抗を受けたスカートが上方へと捲れ上がる。スカートがヘッドを覆うので、ヘッドによるフラッシングが不十分となる。スカートの捲れ上がりは、鯛へのアピールを阻害する。さらに、捲れ上がったスカートは、金具等に絡みやすい。
【０００５】
本発明の目的は、トラブルが生じにくく、高いヒット率が達成されうる疑似餌の提供にある。
【課題を解決するための手段】
【０００６】
本発明に係る疑似餌は、
高比重材料からなるヘッド、
このヘッドに取り付けられるフックユニット、
軟質材料からなる揺動体
及び
上記ヘッドと揺動体との間に位置しており、硬質材料からなるプレート
を備える。
【０００７】
好ましくは、プレートは円盤状であってかつ中央に穴を有する。この穴に、フックユニットが通される。
【０００８】
揺動体は長尺である。この揺動体が折り返されることで、この揺動体の両端が下方に垂れ下がっている。この揺動体は、折り返しの近傍において上記プレートに押圧される。
【発明の効果】
【０００９】
本発明に係る疑似餌では、プレートが鉤素を押さえるので、テイリングが抑制される。プレートは揺動体も押さえるので、ヘッドによるフラッシングが阻害されにくく、揺動体の金具への絡みつきが抑制される。この疑似餌では、ラインが引かれることで、水流がプレートに衝突する。この衝突により、水流が乱される。この乱れが、魚を誘う。この疑似餌では、トラブルが抑制される。この疑似餌により、高いヒット率が達成される。
【発明を実施するための最良の形態】
【００１０】
以下、適宜図面が参照されつつ、好ましい実施形態に基づいて本発明が詳細に説明される。
【００１１】
図１は、本発明の一実施形態に係る疑似餌２が示された正面図である。図２は、図１の疑似餌２の一部が示された拡大断面図である。この疑似餌２は、カブラと称される。この疑似餌２は、ヘッド４、ラインアイ６、フックアイ８、スプリットリング１０、プレート１２、フックユニット１４、スカート１６、ネクタイ１８及びゴムバンド２０を備えている。
【００１２】
ヘッド４は、海水よりも高比重な材料からなる。従って、ヘッド４は海水に沈む。ヘッド４の質量は、１０ｇから１５０ｇ、特には２０ｇから１００ｇである。ヘッド４に好適な材料としては、鉛、鉛合金、タングステン及びタングステン合金が例示される。高比重な材料が用いられることにより、小さなサイズと大きな質量とを兼ね備えたヘッド４が得られる。サイズの小さなヘッド４により、鯛は疑似餌２を生きた餌と勘違いしやすい。小さなサイズにより、高いヒット率が達成されうる。大きな質量により、速い沈降速度が達成される。速い速度で沈降することにより、ヘッド４が潮に流されることなく目的のポイントに着底しうる。ヘッド４の表面に塗装が施されてもよい。
【００１３】
ラインアイ６は、ヘッド４の前端に位置している。ラインアイ６は、金属線が曲げられて形成されている。金属線の端は、ヘッド４に埋め込まれており、ヘッド４に堅固に固定されている。ヘッド４から露出したラインアイ６は、リング状を呈している。ラインアイ６には、ライン２２が結ばれている。
【００１４】
フックアイ８は、ヘッド４の後端に位置している。フックアイ８は、金属線が曲げられて形成されている。金属線の端は、ヘッド４に埋め込まれており、ヘッド４に堅固に固定されている。ヘッド４から露出したフックアイ８は、リング状を呈している。
【００１５】
プレート１２は、円盤状である。プレート１２は、その中心に穴２４（図２参照）を備えている。このプレート１２は、ワッシャーに類似の形状を呈する。プレート１２は、硬質材料からなる。典型的な硬質材料は、硬質合成樹脂及び金属である。プレート１２は、水流を受けても撓みにくい。
【００１６】
フックユニット１４は、サルカン２６、鉤素２８及びフック３０からなる。サルカン２６は、上環３２、ボディ３４及び下環３６からなる。上環３２は、スプリットリング１０を介してフックアイ８に連結されている。下環３６には、鉤素２８が結ばれている。サルカン２６により、鉤素２８の撚れが抑制される。フックユニット１４が、サルカン２６を備えなくてもよい。サルカン２６を備えないフックユニット１４では、鉤素２８がフックアイ８又はスプリットリング１０に直結される。鉤素２８の典型的な材質は、アラミド繊維（登録商標「ケブラー」）である。鉤素２８の下端は、フック３０に固定されている。フック３０は、金属材料からなる。
【００１７】
スカート１６は、多数の糸３８からなる。図２では、便宜上、糸３８が１本のみ示されている。この糸３８は、「揺動体」である。この糸３８は、長尺である。この糸３８は、ゴムバンド２０によってサルカン２６に固定されている。糸３８は、軟質材料からなる。水圧を受けたとき、糸３８は揺れ動いて鯛にアピールする。このスカート１６は、ブラックバスフィッシングに用いられるラバージグに類似の構造を有している。
【００１８】
糸３８は、ゴム組成物からなる。典型的には、糸３８は、ラテックス製法により得られる。この製法では、天然ゴムラテックス又は合成ゴムラテックスに、架橋剤及び着色剤が添加され、ラテックス組成物が得られる。このラテックス組成物から、シートが成形される。このシートが加熱されることで、ゴムの架橋反応が起こる。このシートが裁断されて、糸３８が得られる。着色剤で着色された糸３８は、鯛にアピールする。糸３８が、軟質合成樹脂から形成されてもよい。
【００１９】
ネクタイ１８は、帯状である。このネクタイ１８も、「揺動体」である。このネクタイ１８の中央近傍は、ゴムバンド２０によってサルカン２６に固定されている。ゴムバンド２０においてネクタイ１８が折られ、その両端が下方に向かって延びている。ネクタイ１８は、軟質材料からなる。水圧を受けたとき、ネクタイ１８は揺れ動いて、鯛にアピールする。ネクタイ１８が設けられなくてもよい。
【００２０】
ネクタイ１８は、ゴム組成物からなる。典型的には、ネクタイ１８は、ラテックス製法により得られる。この製法では、天然ゴムラテックス又は合成ゴムラテックスに、架橋剤及び着色剤が添加され、ラテックス組成物が得られる。このラテックス組成物から、シートが成形される。このシートが加熱されることで、ゴムの架橋反応が起こる。このシートが帯状に裁断されて、ネクタイ１８が得られる。着色剤で着色されたネクタイ１８は、鯛にアピールする。ネクタイ１８が、軟質合成樹脂から形成されてもよい。
【００２１】
図３は、図１の疑似餌２のプレート１２が示された断面図である。疑似餌２が上方へ引かれると、プレート１２の上面４０が水を受ける。これにより、図３において矢印で示されるように、水流が乱される。
【００２２】
釣り人は、この疑似餌２を海水に投入する。疑似餌２は高比重なヘッド４を備えているので、海水中を沈降して着底する。釣り人がライン２２（図１参照）を引くことで、疑似餌２は海水中を上昇する。ライン２２が引かれることで、スカート１６及びネクタイ１８が水圧を受ける。スカート１６及びネクタイ１８は、揺れ動く。この揺動は、鯛にアピールする。ライン２２が引かれることで、前述のようにプレート１２が水流を乱す。この乱れも、鯛にアピールする。さらに、水流の乱れによってスカート１６及びネクタイ１８がより大きく揺動する。鯛は、疑似餌２をゴカイ、イソメ等の多毛類と勘違いし、疑似餌２を追う。鯛は、疑似餌２に食いつく。鯛はまず、スカート１６又はネクタイ１８に食いつく。さらに鯛は、フック３０を吸い込む。このフック３０が鯛に突き刺さり、鯛が釣り上げられる。この疑似餌２のヒット率は高い。
【００２３】
図２に示されるように、糸３８はゴムバンド２０で折り返されている。ゴムバンド２０を境として、糸３８は内側部４２及び外側部４４に区分されうる。外側部４４は、内側部４２よりも短い。外側部４４は、ゴムバンド２０の近傍（すなわち折り返しの近傍）において、プレート１２に当接している。もしプレート１２が設けられなければ、外側部４４はゴムバンド２０から上方に起立する。もし外側部４４が起立すると、鯛へのアピールに寄与しにくい。プレート１２に当接することで、外側部４４はプレート１２で押圧され、起立することなく下方に垂下している。糸３８の垂下により、スカート１６がフレアスカートに類似の形状を呈する。この糸３８では、内側部４２及び外側部４４の両方が鯛にアピールしうる。この疑似餌２のヒット率は高い。
【００２４】
内側部４２の下端４６は、外側部４４の下端４８よりも下方に位置している。この糸３８では、内側部４２の下端４６から外側部４４の下端４８までの鉛直方向の広い範囲において、鯛へのアピールがなされる。この疑似餌２のヒット率は高い。図２において符号Ｌ１で示されているのは、内側部４２の下端４６から外側部４４の下端４８までの鉛直方向距離である。鯛へのアピールの観点から、距離Ｌ１は１０ｍｍ以上が好ましく、２０ｍｍ以上がより好ましい。距離Ｌ１は、１００ｍｍ以下が好ましい。距離Ｌ１は、空中において、プレート１２が水平に保持され、内側部４２及び外側部４４が自重で垂下した状態で測定される。
【００２５】
内側部４２の下端４６は、外側部４４の下端４８よりも内側に位置している。図１から明らかなように、多数の内側部４２からなる群の周辺を、多数の外側部４４からなる群が囲んでいる。この糸３８では、内側部４２の下端４６から外側部４４の下端４８までの水平方向の広い範囲において、鯛へのアピールがなされる。この疑似餌２のヒット率は高い。図２において符号Ｌ２で示されているのは、内側部４２の下端４６から外側部４４の下端４８までの水平方向距離である。鯛へのアピールの観点から、距離Ｌ２は５ｍｍ以上が好ましく、１０ｍｍ以上がより好ましい。距離Ｌ２は、５０ｍｍ以下が好ましい。距離Ｌ２は、空中において、プレート１２が水平に保持され、内側部４２及び外側部４４が自重で垂下した状態で測定される。
【００２６】
図４は、図１の疑似餌２の一部が示された拡大断面図である。図４には、沈降中の疑似餌２が示されている。糸３８は、水圧により上方へと延びている。しかし、この糸３８をプレート１２が押さえるので、糸３８の可動範囲は狭い。従って、スカート１６がヘッド４を覆うまでには至らない。この疑似餌２の沈降中でも、ヘッド４によるフラッシングの効果が発揮されうる。さらに、糸３８の可動範囲の制限により、糸３８がスプリットリング１０等の金具に絡み付くことが抑制される。
【００２７】
図４に示されるように、沈降時の水圧を受けて鉤素２８も上方に延びている。しかし、この鉤素２８をプレート１２が押さえるので、鉤素２８の可動範囲は狭い。フック３０はライン２２と干渉しにくい。従って、フック３０はライン２２に絡み付きにくい。この疑似餌２では、テイリングが抑制される。
【００２８】
図２において符号Ｄで示されているのは、プレート１２の直径である。糸３８及び鉤素２８の可動範囲が十分に制限されるとの観点から、直径Ｄは５ｍｍ以上が好ましく、８ｍｍ以上がより好ましい。プレート１２が受ける水圧が少ないとの観点から、直径Ｄは３０ｍｍ以下が好ましく、２０ｍｍ以下がより好ましい。
【００２９】
プレート１２による効果は、カブラに限らず、インチク等の他の疑似餌でも得られる。
【産業上の利用可能性】
【００３０】
本発明に係る疑似餌は、鯛のみならず、太刀魚、ヒラメ、アイナメ、マゴチ、フグ等の種々の魚をターゲットにした釣りに適している。
【図面の簡単な説明】
【００３１】
【図１】図１は、本発明の一実施形態に係る疑似餌が示された側面図である。
【図２】図２は、図１の疑似餌の一部が示された拡大断面図である。
【図３】図３は、図１の疑似餌のプレートが示された断面図である。
【図４】図４は、図１の疑似餌の一部が示された拡大図である。
【符号の説明】
【００３２】
２・・・疑似餌
４・・・ヘッド
１２・・・プレート
１４・・・フックユニット
１６・・・スカート
１８・・・ネクタイ
２０・・・ゴムバンド
２４・・・穴
２６・・・サルカン
２８・・・鉤素
３０・・・フック
３８・・・糸
４２・・・内側部
４４・・・外側部
【図１】
2008212146.tif 000003
【図２】
2008212146.tif 000004
【図３】
2008212146.tif 000005
【図４】
2008212146.tif 000006
【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
高比重材料からなるヘッド、
このヘッドに取り付けられるフックユニット、
軟質材料からなる揺動体
及び
上記ヘッドと揺動体との間に位置しており、硬質材料からなるプレート
を備えた疑似餌。
【請求項２】
上記プレートが円盤状であってかつ中央に穴を有しており、この穴に上記フックユニットが通されている請求項１に記載の疑似餌。
【請求項３】
上記プレートの直径が５ｍｍ以上である請求項２に記載の疑似餌。
【請求項４】
上記揺動体が長尺であり、この揺動体が折り返されてその両端が下方に垂れ下がっており、この揺動体が折り返しの近傍において上記プレートに押圧されている請求項１から３のいずれかに記載の疑似餌。
【請求項５】
上記ヘッドに固定されたフックアイと、スプリットリングとをさらに備えており、このスプリットリングを介してフックユニットがフックアイに連結されており、このフックユニットに揺動体が固定されている請求項１から４のいずれかに記載の疑似餌。
【請求項６】
上記プレートが硬質合成樹脂又は金属からなる請求項１から５のいずれかに記載の疑似餌。
【請求項７】
上記揺動体が多数の糸を備えており、水中を沈降するとき、上方に延びる糸をプレートが押さえるように構成された請求項１から６のいずれかに記載の疑似餌。